(57)【要約】【課題】  テレビ会議やテレビ電話およびＩＰ電話等で、最適の音量の音声ボリュームを自動的に設定して通話ができるシステムと方法を提供すること。【解決手段】  テレビ会議やテレビ電話およびＩＰ電話等における送信端末と受信端末との音声のやり取りが、インターネットやＬＡＮ等のネットワークのサーバを利用して、送信端末と受信端末の初回通話で、送信端末の識別と最適音量の音声ボリュームの設定値をサーバのデータベースに記憶し、２回目以降の通話では、記憶した内容で自動的に通話できるようにしている。また、サーバを利用しないで、受信端末および送信端末に初回の通話内容を記憶して、同様に、２回目以降の通話を自動的にできるようにしている。【選択図】  図１
2005229464.tif 000002
【特許請求の範囲】
【請求項１】
テレビ会議やテレビ電話およびＩＰ電話等における送信端末と受信端末との音声のやり取りが、インターネットやＬＡＮ等のネットワークのサーバを利用して、送信端末と受信端末の間で音量の音声ボリュームを設定する方式であって、送信端末と受信端末との初回通話で、送信端末の識別と最適音量の音声ボリューム設定値とをサーバのデータベースに記憶し、２回目以降の通話では、記憶した音声ボリュームの音量で送信端末と受信端末で自動的に最適音量で通話できる音声ボリューム管理通話システムおよび方法。
【請求項２】
請求項１の前記送信端末と受信端末との音声のやり取りが、インターネットやＬＡＮ等のネットワークのサーバを利用しないで、送信端末と受信端末の間で音量の音声ボリュームを設定する方式であって、送信端末と受信端末との初回通話で、送信端末の識別と受信端末での最適音量の音声ボリューム設定値とを受信端末側および送信端末側に記憶し、２回目以降の通話では、記憶した音声ボリュームの音量で送信端末と受信端末で自動的に最適音量で通話できる音声ボリューム管理通話システムおよび方法。
【発明の詳細な説明】
【技術分野】
【０００１】
本発明はテレビ会議やテレビ電話およびＩＰ電話等における送信端末と受信端末との音声のやり取りで、送信端末の識別と音量の音声ボリューム設定値を記憶することにより、記憶した音声ボリュームの音量で、送信端末と受信端末とが通話できる技術に関する。
【背景技術】
【０００２】
インターネットやＬＡＮ（Ｌｏｃａｌ  Ａｒｅａ  Ｎｅｔｗｏｒｋ）等のネットワークを利用したテレビ会議やテレビ電話およびＩＰ（Ｉｎｔｅｒｎｅｔ  Ｐｒｏｔｏｃｏｌ）電話等では、図１に示すように多くの、４の端末Ａや５の端末Ｂおよび６の端末Ｎ、７の端末（Ｎ＋１）がインターネットやＬＡＮ等の音声／画像伝送回線３を利用しながらサーバ１と結合されている。このサーバ１を利用する場合、サーバ１にはデータベース２が内蔵され、端末同士はこのデータベース２の内容に従がって接続されるようになっていて、端末の接続形態は１：１でも１：Ｎでも可能になっている。このようにして、サーバ１はデータベース２の内容に従がいながら、端末同士の交換機の役目を果たして各端末の接続を行っている。接続内容は都度各端末からサーバ１のデータベース２に指示される場合と、あらかじめデータベース２に格納された内容に従がって指示される場合とがある。テレビ会議やテレビ電話では音声／画像伝送回線３は音声と画像の伝送に利用されるが、ＩＰ電話の場合は音声／画像伝送回線３は音声だけの伝送に利用される。
【０００３】
４の端末Ａと６の端末Ｎがサーバ１を利用して音声／画像伝送回線３で結ばれている場合について、通話の伝送の仕組みを詳しく図２で示す。４の端末Ａと６の端末Ｎは全く同じ構造で構成され、音声／画像伝送回線３を通して対象に接続されている。サーバ１とデータベース２の役割は前述したとおりである。４の端末Ａには制御装置４１が内蔵され、これにマイクロホン４２とスピーカ４３が接続されている。また、６の端末Ｎには制御装置６１が内蔵され、これにマイクロホン６２とスピーカ６３が接続されている。
【０００４】
６の端末Ｎから４の端末Ａに音声を伝送する場合、６の送信端末Ｎのマイクロホン６２からの音声は制御装置６１から音声／画像伝送回線３を経由して、４の受信端末Ａの制御装置４１からスピーカ４３に伝達される。この時、４の受信端末Ａでは、最適なスピーカ４２の音量にするために制御装置４１の音声ボリュームでユーザが手動で調整している。６の端末Ｎの代わりに、７の端末（Ｎ＋１）が送信端末（Ｎ＋１）として、４の受信端末Ａと接続される場合には、同様にして７の端末（Ｎ＋１）に合せて最適な音量にするために、制御装置４１の音声ボリュームを手動で調整して、４の受信端末Ａのスピーカ４３の音量を調整する。このように、送信端末に合せて、受信端末では最適な音量になるように音声ボリュームを都度調整している。この方法は送信端末が変わるたびに送信端末に合せて、都度、受信端末で音量の音声ボリュームを調整する必要があり、煩雑である。
【０００５】
図１の構成においてサーバ１を利用しない場合、ネットワークのシステム構成上はサーバ１が図１のように接続されているが機能上サーバ１を利用しない場合と、初めからサーバ１がネットワークに接続されていない場合がある。このサーバ１を利用しない場合は、送信端末と受信端末の接続は、端末同士のアドレス選択で行う。この場合でも、サーバ１を利用した場合と同様に、受信端末の音量調整は、送信端末に合せて受信端末の制御装置の音声ボリュームで音量の都度調整をする必要があり、煩雑である。
【０００６】
【特許文献１】特開平０５−０３７６５３号公報
【特許文献２】特開平０７―１３１７７４号公報
【発明の開示】
【発明が解決しようとする課題】
【０００７】
本発明は、上記事情を考慮してなされたもので、その目的は、送信端末と受信端末の間で、初回通話により設定された音量の音声ボリュームを記憶して、２回目以降の通話においても、送信端末を識別しながら記憶した音声ボリュームの設定値を利用して、受信端末で音声ボリュームの調整を不要とする通話システムおよび方法を提供することにある。
【課題を解決するための手段】
【０００８】
上記目的を達成するために、本発明では、以下の手段を提案している。即ち、請求項１に記載された発明は、テレビ会議やテレビ電話およびＩＰ電話等における送信端末と受信端末との音声のやり取りが、インターネットやＬＡＮ等のネットワークのサーバを利用して、送信端末と受信端末の間で音量の音声ボリュームを設定する方式であって、送信端末と受信端末との初回通話で、送信端末の識別と最適音量の音声ボリューム設定値とをサーバのデータベースに記憶し、２回目以降の通話では、記憶した音声ボリュームの音量で送信端末と受信端末で自動的に最適音量で通話できる音声ボリューム管理通話システムおよび方法を備えたことを特徴とする。
【０００９】
請求項２記載の発明は、請求項１の前記送信端末と受信端末との音声のやり取りが、インターネットやＬＡＮ等のネットワークのサーバを利用しないで、送信端末と受信端末の間で音量の音声ボリュームを設定する方式であって、送信端末と受信端末との初回通話で、送信端末の識別と受信端末での最適音量の音声ボリューム設定値とを受信端末側および送信端末側に記憶し、２回目以降の通話では、記憶した音声ボリュームの音量で送信端末と受信端末で自動的に最適音量で通話できる音声ボリューム管理通話システムおよび方法を備えたことを特徴とする。
【００１０】
以上をまとめると、本発明は次のようになる。即ち、テレビ会議やテレビ電話およびＩＰ電話等における送信端末と受信端末の音声のやり取りが、インターネットやＬＡＮ等のネットワークを経由して、サーバを利用しながら行われる場合は、初回通話時にサーバに記憶した送信端末とその音声ボリュームの設定値で、２回目以降の音量の通話を自動的に行い、また、サーバを利用しない場合には、初回通話時に受信端末および送信端末に記憶した送信端末とその音声ボリュームの設定値で、２回目以降の音量の通話を自動的に行う音声ボリューム管理通話システムおよび方法であると考えることができる。
【発明の効果】
【００１１】
本発明によれば、テレビ会議やテレビ電話およびＩＰ電話等における送信端末と受信端末の音声のやり取りが、通話のたびに都度の音声ボリュームの調整を必要とせずに、初回の通話で設定した最適な音量で２回目以降の通話でも自動的に利用できる効果がある。
【発明を実施するための最良の形態】
【００１２】
以下、本発明の実施形態に係るテレビ電会議やテレビ電話およびＩＰ電話等の送信端末と受信端末の音声のやり取りにおける、音声ボリューム管理通話システムおよび方法について図面を参照して説明する。図３は音声のやり取りにインターネットやＬＡＮ等のネットワークを経由してサーバ１を利用した場合の音声ボリュームの設定の方法について示している。受信端末に４の端末Ａを、送信端末に６の端末Ｎを用いている。４の受信端末Ａに制御装置４１が内蔵され、制御装置４１にマイクロホン４２とスピーカ４３が接続されている。また、６の送信端末Ｎに制御装置６１が内蔵され、制御装置６１にはマイクロホン６２とスピーカ６３が接続されているのは４の受信端末Ａと同様である。４の受信端末Ａと６の送信端末Ｎの接続はサーバ１のデータベース２の内容に従がって行われ、４の受信端末Ａと６の送信端末Ｎとの接続がなされると、初回通話においては、６の送信端末Ｎの音声は、４の受信端末Ａのスピーカを聞きながら最適音量で音声ボリュームが調整される。この調整された設定値はサーバ１に送られ、６の送信端末Ｎの識別と共にサーバ１に内蔵されたデータベース２の記憶情報３００に記憶される。２回目以降の通話では、４の受信端末Ａは記憶情報３００の情報に従がって、６の送信端末Ｎを識別しながら、記憶された音声ボリュームの音量で受信する。逆に、４の端末Ａが送信端末になり、６の端末Ｎが受信端末になった場合も全く同様である。このようにして、４の端末Ａと６の端末Ｎは初回通話の音声ボリュームの設定値に従がって、初回通話と同様にして２回目以降の音声のやり取りを行う。これまでは、記憶情報３００の情報内容は初回通話の情報に従がって記憶されると述べたが、送信端末のマイクロホンの値と受信端末のスピーカの値が規格化されている場合には、記憶情報３００の内容も規格化して送信端末と共に規格化した値でテーブルに記憶しておけば、初回通話による設定の必要はなく、初回通話から最適な音量での通話が可能となる。音量の音声ボリュームの微調整を行う場合には、微調整した音声ボリュームの値を、初回通話と同様に改めて記憶情報３００に記憶することにより、それ以降の通話の音声ボリュームを自動的に設定して通話する。
【００１３】
初回通話の最適音声ボリュームの設定値の記憶にサーバ１を利用しないで、送信端末の識別と音声ボリュームの設定値を、サーバ１の代わりに受信端末および送信端末に記憶する場合について図４に示す。この場合は、ネットワークのシステム構成上はサーバ１が存在するが機能上サーバ１を用いない方法と、初めからネットワークにサーバ１が存在しない方法とがある。この様子を示すために、図４のサーバ１とデータベース２は破線で示してある。４の端末Ａと６の端末Ｎの構成はこれまで述べた内容と同様であるが、制御装置４１に記憶情報１００を、制御装置６１に記憶情報２００を内蔵するところが、これまでと異なる。４の端末Ａが受信端末Ａに、６の端末Ｎが送信端末Ｎになった場合に、初回通話の音量の音声ボリュームの設定は、４の受信端末Ａで行われるのはこれまでと同様であるが、６の送信端末Ｎの識別と音声ボリュームの設定値は、これまでのサーバ１の代わりに制御装置４１の記憶情報１００に記憶される。それと同時に、記憶情報１００の内容は６の送信端末Ｎに伝送され、制御装置６１の記憶情報２００にも記憶される。記憶情報１００の内容に従がって２回目以降の通話の音量の音声ボリュームの設定値は自動的に調整されて、最適音量で受信される。逆に、４の端末Ａが送信端末Ａに、６の端末Ｎが受信端末Ｎになった場合には、記憶情報２００に４の送信端末Ａの識別と音声ボリュームの設定値が記憶され、それと同時に、４の記憶情報１００にも記憶される。このようにして、４の端末Ａと６の端末Ｎは初回通話の音声ボリュームの設定値に従がって、２回目以降の通話の音声のやり取りを行う。音量の音声ボリュームの微調整を行う場合には、微調整した音声ボリュームの値を、初回通話と同様に改めて受信端末と送信端末のそれぞれの記憶情報に記憶することにより、それ以降の通話の音声ボリュームを自動的に設定して通話する。
【実施例１】
【００１４】
以上述べたテレビ会議やテレビ電話およびＩＰ電話等の送信端末と受信端末の音声のやり取りにおける、音声ボリューム管理通話システムおよび方法に関し、図３と図５を参照して説明する。図３のサーバ１のデータベース２の記憶情報３００を利用する場合について、４の端末Ａが受信端末に、６の端末Ｎが送信端末になっている場合について説明する。図５のフローでは、初回通話においてＳ１で端末Ａは端末Ｎと通話を開始し、Ｓ２で端末Ｎは端末Ａへマイクロホンの音声を送信する。すると端末ＡはＳ３で受信音声をスピーカに出力し、Ｓ４で端末Ａのユーザは最適な音量になるように音声ボリュームを調整する。その後、Ｓ５で端末Ａは、この音声は端末Ｎから来たものであることと音声ボリュームの設定値を図３のサーバ１に連絡すると、サーバ１はＳ５でこの内容を記憶情報としてデータベース２の記憶情報３００に登録する。２回目以降の通話では、Ｓ１１で端末Ａは端末Ｎと通話を開始すると、Ｓ１２で端末Ｎは端末Ａへマイクロホン音声を送信する。すると、サーバ１はデータベース２の記憶情報３００の内容から、送信端末が端末Ｎであることを確認し、初回通話で記憶した設定値の音量の音声を端末ＡにＳ１３で送信する。端末ＡはＳ１４で受信した音声を再生する。逆に、４の端末Ａが送信端末に、６の端末Ｎが受信端末になった場合も同様であり、このようにして、４の端末Ａと６の端末Ｎは、初回通話で調整した音量の音声ボリュームの設定値で２回目以降の通話が可能となる。
【実施例２】
【００１５】
送信端末の識別と音声ボリュームの設定値を、図３のサーバ１を利用しないで、サーバ１の代わりに、図４の受信端末と送信端末の制御装置の記憶情報に記憶する方式について、図４と図６を参照して説明する。図４の、４の端末Ａが受信端末に、６の端末Ｎが送信端末になっている場合について説明する。この場合、前述のように、送信端末の識別と音声ボリュームの設定値は制御装置４１に内蔵される記憶情報１００に登録されると同時に制御装置６１に内蔵される記憶情報２００にも記憶される。図６のフローでは、初回通話においてＳ２１で端末Ａは端末Ｎと通話を開始し、Ｓ２２で端末Ｎは端末Ａへマイクロホン６２の音声を送信する。すると端末ＡはＳ２３で受信音声をスピーカ４３に出力し、Ｓ２４で端末Ａのユーザは最適な音量になるように音声ボリュームを調整する。その後、Ｓ２５で端末Ａは、この音声は端末Ｎから来たものであることと音声ボリュームの設定値を、図４の４の端末Ａの制御装置４１の記憶情報１００に登録する。それと同時に記憶情報１００の内容は端末Ｎの制御装置６１の記憶情報２００にも記憶される。２回目以降の通話では、Ｓ３１で端末Ａは端末Ｎと通話を開始すると、Ｓ３２で端末Ｎは端末Ａへマイクロホン音声を送信する。すると、Ｓ３３で４の端末Ａの制御装置４１の記憶情報１００の内容および６の端末Ｎの制御装置６１の記憶情報２００の内容から、端末Ａは端末Ｎを送信端末として確認し、初回通話で記憶した音量の音声ボリュームの設定値で受信した音声を再生する。逆に、４の端末Ａが送信端末に、６の端末Ｎが受信端末になった場合も同様であり、このようにして、４の端末Ａと６の端末Ｎは、初回通話で調整した音量の音声ボリュームの設定値で２回目以降の通話が可能となる。以上、受信端末の記憶情報と送信端末の記憶情報に同時に音声ボリュームの値を記憶すると述べたが、受信端末か送信端末のどちらか一方に記憶していても同様の通話が可能である。
【産業上の利用可能性】
【００１６】
本発明は、テレビ会議やテレビ電話およびＩＰ電話等の送信端末と受信端末の音声のやり取りにおいて、初回通話を利用して２回目以降の通話を最適な音量の音声ボリュームで通話する技術として利用できる。
【図面の簡単な説明】
【００１７】
【図１】背景技術に係るインターネットやＬＡＮ等を利用したテレビ会議やテレビ電話およびＩＰ電話等の構成システムを示す図である。
【図２】背景技術に係る通話システムの詳細を示す図である。
【図３】本発明の実施形態に係るサーバの記憶情報を説明する図である。
【図４】本発明の実施形態に係る端末装置の記憶情報を説明する図である。
【図５】本発明の実施例１に係るフロー図である。
【図６】本発明の実施例２に係るフロー図である。
【符号の説明】
【００１８】
１      サーバ
２      データベース
３      音声／画像伝送回線
４      端末Ａ
５      端末Ｂ
６      端末Ｎ
７      端末（Ｎ＋１）
４１    制御装置（第１の制御装置）
４２    マイクロホン（第１のマイクロホン）
４３    スピーカ（第１のスピーカ）
６１    制御装置（第２の制御装置）
６２    マイクロホン（第２のマイクロホン）
６３    スピーカ（第２のスピーカ）
１００  記憶情報（端末の第１の記憶情報）
２００  記憶情報（端末の第２の記憶情報）
３００  記憶情報（サーバのデータベースの記憶情報）
【図１】
2005229464.tif 000003
【図２】
2005229464.tif 000004
【図３】
2005229464.tif 000005
【図４】
2005229464.tif 000006
【図５】
2005229464.tif 000007
【図６】
2005229464.tif 000008